(57)【要約】【課題】ソース装置が記録媒体から再生した動画像データをシンク装置に表示させる場合に、当該動画像データの一部の表示が欠落してしまうことを防止できる通信装置を提供すること。【解決手段】通信装置（１００）は、動画像データを記録媒体から再生する再生手段と、前記動画像データを外部表示装置に送信する送信手段と、前記外部表示装置が画像表示中であるか否かの判定を行う判定手段とを有し、前記動画像データを前記外部表示装置に送信する前に、前記外部表示装置が画像表示中でないと判定された場合は、所定の画像データを送信し、前記動画像データを前記外部表示装置に送信する前に、前記外部表示装置が画像表示中であると判定された場合は、前記動画像データの再生を開始する。【選択図】図１
2018191021.tif 000002
【特許請求の範囲】
【請求項１】
動画像データを記録媒体から再生する再生手段と、
前記動画像データを外部表示装置に送信する送信手段と、
前記外部表示装置が画像表示中であるか否かの判定を行う判定手段と
を有し、
前記動画像データを前記外部表示装置に送信する前に、前記外部表示装置が画像表示中でないと判定された場合は、所定の画像データを送信し、
前記動画像データを前記外部表示装置に送信する前に、前記外部表示装置が画像表示中であると判定された場合は、前記動画像データの再生を開始することを特徴とする通信装置。
【請求項２】
前記動画像データの解像度を切り替える解像度切り替え手段をさらに有し、
前記解像度切り替え手段が前記動画像データの解像度を切り替える処理を行う際に、前記判定手段による前記判定を行うことを特徴とする請求項１に記載の通信装置。
【請求項３】
前記所定の画像データは、前記動画像データの先頭部から得られた画像データであることを特徴とする請求項１又は請求項２に記載の通信装置。
【請求項４】
前記所定の画像データは、黒で塗りつぶした部分を有する画像データであることを特徴とする請求項１乃至請求項３の何れか一項に記載の通信装置。
【請求項５】
前記判定手段は、ＣＥＣ（Ｃｏｎｓｕｍｅｒ  Ｅｌｅｃｔｒｏｎｉｃｓ  Ｃｏｎｔｒｏｌ）プロトコルに準拠したコマンドを用いて前記判定を行うことを特徴とする請求項１乃至請求項４の何れか一項に記載の通信装置。
【請求項６】
前記通信手段は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）に準拠することを特徴とする請求項１乃至請求項５の何れか一項に記載の通信装置。
【発明の詳細な説明】
【技術分野】
【０００１】
本発明は、外部表示装置に動画像データを送信する通信装置等に関する。
【背景技術】
【０００２】
現在、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）と呼ばれる通信インターフェースが提案されている。ＨＤＭＩ規格に準拠した通信システム（以下、「ＨＤＭＩシステム」と呼ぶ。）は、ソース（Ｓｏｕｒｃｅ）装置とシンク（Ｓｉｎｋ）装置とを有する。ソース装置は、画像データをＨＤＭＩインターフェースを介して送信することができる。シンク装置は、ソース装置からの画像データをＨＤＭＩインターフェースを介して受信し、受信した画像データを表示することができる。
【０００３】
このような通信システムにおいて、ソース装置がシンク装置に送信する動画像データの解像度を変更する場合、解像度変更中の動画像データが欠落してしまうという課題がある。このような課題を解決するために、ソース装置が解像度を変更している期間、動画像データの再生を中断する技術が知られている（特許文献１）。
【先行技術文献】
【特許文献】
【０００４】
【特許文献１】特開２００８−６０７３７号公報
【発明の概要】
【発明が解決しようとする課題】
【０００５】
しかしながら、シンク装置が、ソース装置から受信した補助データに基づき、ソース装置から受信した動画像データの解像度を変更する構成では、シンク装置が動画像データの解像度を変更する処理を行う期間、動画像データの一部の表示が欠落してしまうことがある。
【０００６】
そこで、本発明は、ソース装置が記録媒体から再生した動画像データをシンク装置に表示させる場合に、当該動画像データの一部の表示が欠落してしまうことを防止できるようにすることを目的とする。
【課題を解決するための手段】
【０００７】
上記の目的を達成するために、本発明に係る通信装置は、
動画像データを記録媒体から再生する再生手段と、前記動画像データを外部表示装置に送信する送信手段と、前記外部表示装置が画像表示中であるか否かの判定を行う判定手段とを有し、前記動画像データを前記外部表示装置に送信する前に、前記外部表示装置が画像表示中でないと判定された場合は、所定の画像データを送信し、前記動画像データを前記外部表示装置に送信する前に、前記外部表示装置が画像表示中であると判定された場合は、前記動画像データの再生を開始することを特徴とする。
【発明の効果】
【０００８】
本発明に係る通信装置によれば、ソース装置が記録媒体から再生した動画像データをシンク装置に表示させる場合に、当該動画像データの一部が欠落してしまうことを防止することができる。
【図面の簡単な説明】
【０００９】
【図１】実施形態１における通信システムの一例を示す図である。
【図２】通信装置１００及び外部装置３００の構成の一例を説明するためのブロック図である。
【図３】論理アドレス取得処理の一例を説明するためのフローチャートである。
【図４】物理アドレス取得処理の一例を説明するためのフローチャートである。
【図５】動画像再生処理の一例を説明するためのフローチャートである。
【発明を実施するための形態】
【００１０】
以下、図面を参照して本発明の実施形態を説明する。ただし、本発明は以下の実施形態に限定されるものではない。
【００１１】
［実施形態１］
図１は、実施形態１における通信システムの一例を示す図である。
【００１２】
実施形態１における通信システムは、図１に示すように、通信装置１００と、外部装置３００と、通信装置１００と外部装置３００とを接続するためのケーブル２００とを有する。通信装置１００と外部装置３００とは、ケーブル２００を介して接続されている。
【００１３】
通信装置１００は、ケーブル２００を介して画像データ、音声データ及び補助データを外部装置３００に送信することができるデータ送信装置である。外部装置３００は、通信装置１００から受信した画像データを表示器に表示し、通信装置１００から受信した音声データをスピーカから出力するデータ受信装置である。通信装置１００及び外部装置３００はいずれも、ケーブル２００を介して様々な制御コマンドを双方向に送信することができる。
【００１４】
実施形態１において、通信装置１００、外部装置３００及びケーブル２００は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠するものとする。したがって、通信装置１００は、ＨＤＭＩ規格におけるＨＤＭＩソース（Ｓｏｕｒｃｅ）として機能するソース装置であり、外部装置３００は、ＨＤＭＩ規格におけるＨＤＭＩシンク（Ｓｉｎｋ）として機能するシンク装置である。
【００１５】
実施形態１において、通信装置１００及び外部装置３００は、ＨＤＭＩ規格が規定しているＣＥＣ（Ｃｏｎｓｕｍｅｒ  Ｅｌｅｃｔｒｏｎｉｃｓ  Ｃｏｎｔｒｏｌ）プロトコルに準拠するものとする。通信装置１００と外部装置３００との間で双方向に送信される制御コマンドは、ＣＥＣプロトコルに準拠する。以下、ＣＥＣプロトコルに準拠した制御コマンドを「ＣＥＣコマンド」と呼ぶ。
【００１６】
実施形態１では、通信装置１００の一例としてデジタルスチルカメラを用いる。なお、通信装置１００は、デジタルスチルカメラに限るものではなく、ＨＤＭＩソースとしての機能を持つ装置であれば、デジタル一眼レフカメラ、デジタルビデオカメラ、レコーダ、プレイヤなどの装置を通信装置１００として用いてもよい。また、通信装置１００は、スマートフォンやパーソナルコンピュータであってもよい。
【００１７】
実施形態１では、外部装置３００の一例としてテレビジョン受像機（以下、「テレビ」と呼ぶ）を用いる。なお、外部装置３００は、テレビに限るものではなく、ＨＤＭＩシンクとしての機能を持つ装置であれば、プロジェクタやパーソナルコンピュータなどの表示装置を外部装置３００として用いてもよい。また、外部装置３００は、ＨＤＭＩ規格におけるＨＤＭＩリピータ（Ｒｉｐｅａｔｅｒ）として機能するリピータ装置（中継装置）であってもよいものとする。
【００１８】
次に、図２を参照して、ケーブル２００を説明する。
【００１９】
ケーブル２００は、電源伝送ライン２０１、ＨＰＤ（Ｈｏｔ  Ｐｌｕｇ  Ｄｅｔｅｃｔ）ライン２０２及びＤＤＣ（Ｄｉｓｐｌａｙ  Ｄａｔａ  Ｃｈａｎｎｅｌ）ライン２０３を有する。ケーブル２００はさらに、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｎｇｎａｌｉｎｇ）ライン２０４及びＣＥＣライン２０５を有する。
【００２０】
電源伝送ライン２０１は、通信装置１００から外部装置３００に所定の電力を供給するための伝送ラインである。所定の電力とは、例えば、５Ｖ電源や３．３Ｖ電源である。
【００２１】
ＨＰＤライン２０２は、高電圧レベル（以下、Ｈレベル）又は低電圧レベル（以下、Ｌレベル）のＨＰＤ信号を外部装置３００から通信装置１００に伝送するための伝送ラインである。
【００２２】
ＤＤＣライン２０３は、外部装置３００のデバイス情報を外部装置３００から通信装置１００に伝送するための伝送ラインである。外部装置３００のデバイス情報とは、外部装置３００のＥＤＩＤ（Ｅｘｔｅｎｄｅｄ  Ｄｉｓｐｌａｙ  Ｉｄｅｎｔｉｆｉｃａｔｉｏｎ  Ｄａｔａ）又はＥ−ＥＤＩＤ（Ｅｎｈａｎｃｅｄ  ＥＤＩＤ）である。ＥＤＩＤ及びＥ−ＥＤＩＤはいずれも、外部装置３００のデバイス情報として、外部装置３００の識別情報、外部装置３００の表示能力などに関する情報、外部装置３００の音声出力能力などに関する情報等を含む。例えば、ＥＤＩＤ及びＥ−ＥＤＩＤには、外部装置３００がサポートしている解像度、走査周波数、アスペクト比、色空間などに関する情報や、物理アドレスが含まれている。物理アドレスは、通信装置１００と外部装置３００との接続の関係を示す情報である。
【００２３】
Ｅ−ＥＤＩＤは、ＥＤＩＤを拡張したものであり、ＥＤＩＤよりも多くの能力情報を含む。例えば、Ｅ−ＥＤＩＤには、外部装置３００がサポートしている画像データ及び音声データのフォーマットや３Ｄ表示フォーマットに関する対応などに関する情報が含まれている。以下、ＥＤＩＤ及びＥ−ＥＤＩＤをいずれも「ＥＤＩＤ」と呼ぶ。
【００２４】
ＴＭＤＳライン２０４は、通信装置１００から外部装置３００に画像データ、音声データ及び補助データを伝送するための高速な伝送ラインである。
【００２５】
ＣＥＣライン２０５は、通信装置１００と外部装置３００との間で、ＣＥＣコマンドを双方向に伝送するための伝送ラインである。
【００２６】
外部装置３００は、通信装置１００を制御するためのＣＥＣコマンドを通信装置１００にＣＥＣライン２０５を介して送信することにより、通信装置１００を制御することができる。また、通信装置１００は、外部装置３００を制御するためのＣＥＣコマンドを外部装置３００にＣＥＣライン２０５を介して送信することにより、外部装置３００を制御することができる。
【００２７】
なお、ケーブル２００は、ＨＤＭＩ規格に対応するケーブルに限られるものではない。ケーブル２００は、ＤｉｉＶＡ、ＭＨＬ（Ｍｏｂｉｌｅ  Ｈｉｇｈ−Ｄｅｆｉｎｉｔｉｏｎ  Ｌｉｎｋ）、ＨＤＢａｓｅＴやＷｉｒｅｌｅｓｓ  ＨＤ（Ｗｉｒｅｌｅｓｓ  Ｈｉｇｈ  Ｄｅｆｉｎｉｔｉｏｎ）等の規格に対応する通信インターフェースであってもよい。
【００２８】
また、ケーブル２００は、ＨＤＭＩ規格と互換性のある通信インターフェースであってもよい。また、通信装置１００と外部装置３００は、ＨＤＭＩ規格に準拠した通信を無線によって行うものであってもよい。
【００２９】
次に、図２を参照して、通信装置１００の構成の一例を説明する。通信装置１００は、図２に示すように、制御部１０１、メモリ１０２、通信部１０３、撮像部１０４、記録部１０５、表示部１０６、操作部１０７、電源供給部１０８、及びＲＯＭ１０９を有する。以下、通信装置１００について説明する。
【００３０】
制御部１０１は、通信装置１００を制御する。制御部１０１は、ＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）を含む。なお、制御部１０１は、ハードウェアにより構成される。
【００３１】
また、制御部１０１は、外部装置３００から受信したＣＥＣコマンドにしたがって通信装置１００を制御したり、操作部１０７からの入力信号により通信装置１００を制御する。実施形態１では、外部装置３００から受信したＣＥＣコマンドを用いて、通信装置１００に送信した画像データが、外部装置３００に表示中であるか否かを判定する。また、制御部１０１は、外部装置３００から取得した外部装置３００のＥＤＩＤを解析し、解析した結果を取得したＥＤＩＤとともにメモリ１０２に記録する。
【００３２】
メモリ１０２は、通信装置１００のバッファとして機能するメモリであり、記録部１０５によって読み出された画像データや音声データ等を一時的に記録することもできる。
【００３３】
また、メモリ１０２は、制御部１０１によって解析されたＥＤＩＤの解析結果、コマンド処理部１０３ｅによって受信されたコマンドの解析結果及び外部装置３００から取得したＥＤＩＤに含まれる物理アドレスを記録する。
【００３４】
メモリ１０２は、ＲＡＭ（Ｒａｎｄｏｍ  Ａｃｃｅｓｓ  Ｍｅｍｏｒｙ）に限られるものではなく、ハードディスク装置等の外部記憶装置であってもよい。
【００３５】
通信部１０３は、不図示のコネクタ、電源出力部１０３ａ、ＨＰＤ検出部１０３ｂ、ＥＤＩＤ取得部１０３ｃ、データ送信部１０３ｄ、コマンド処理部１０３ｅを有する。不図示のコネクタは、ケーブル２００を接続するために用いられる。
【００３６】
電源出力部１０３ａは、電源供給部１０８から供給される電源から所定の電力を生成する。さらに、電源出力部１０３ａは、生成した所定の電力を、電源伝送ライン２０１を介して外部装置３００に出力する。
【００３７】
ＨＰＤ検出部１０３ｂは、外部装置３００から送信されるＨＰＤ信号を、ＨＰＤライン２０２を介して検出する。電源出力部１０３ａから電源伝送ライン２０１を介して外部装置３００に所定の電力が供給されている場合、外部装置３００は、外部装置３００のＥＤＩＤを通信装置１００に送信できるか否かを判定する。この場合、外部装置３００は、この判定結果に応じて、ＨレベルのＨＰＤ信号またはＬレベルのＨＰＤ信号を通信装置１００に送信する。電源伝送ライン２０１を介して外部装置３００に所定の電力が供給されている場合、外部装置３００がＥＤＩＤを通信装置１００に送信できると判定したとき、外部装置３００はＨレベルのＨＰＤ信号を通信装置１００にＨＰＤライン２０２を介して送信する。そこで、ＨＰＤ検出部１０３ｂは、ＨＰＤライン２０２を介してＨレベルのＨＰＤ信号を検出した場合、外部装置３００から外部装置３００のＥＤＩＤを取得できることを制御部１０１に通知する。
【００３８】
また、電源出力部１０３ａから電源伝送ライン２０１を介して外部装置３００に所定の電力が供給されていない場合、外部装置３００は、ＬレベルのＨＰＤ信号を通信装置１００にＨＰＤライン２０２を介して送信する。電源伝送ライン２０１を介して外部装置３００に所定の電力が供給されている場合で、外部装置３００がＥＤＩＤを通信装置１００に送信できないと判定したとき、外部装置３００は、ＬレベルのＨＰＤ信号を通信装置１００にＨＰＤライン２０２を介して送信する。そこで、ＨＰＤ検出部１０３ｂは、ＨＰＤライン２０２を介してＬレベルのＨＰＤ信号を検出した場合、外部装置３００から外部装置３００のＥＤＩＤを取得できないことを制御部１０１に通知する。
【００３９】
ＨＰＤ検出部１０３ｂは、ＨＰＤライン２０２を介して検出したＨＰＤ信号がＨレベルのＨＰＤ信号からＬレベルのＨＰＤ信号に変化した場合、ＨＰＤ信号がＨレベルからＬレベルに変化したことを制御部１０１に通知する。また、ＨＰＤ検出部１０３ｂは、ＨＰＤ信号がＬレベルのＨＰＤ信号からＨレベルのＨＰＤ信号に変化した場合も同様にＨＰＤ信号がＬレベルからＨレベルに変化したことを制御部１０１に通知する。
【００４０】
ＥＤＩＤ取得部１０３ｃは、ＨＰＤ検出部１０３ｂで検出されたＨＰＤ信号がＨレベルである場合、ＤＤＣライン２０３を介して、外部装置３００に外部装置３００のＥＤＩＤを取得するための要求を送信し、外部装置３００のＥＤＩＤを取得する。ＨＰＤ検出部１０３ｂで検出されたＨＰＤ信号がＬレベルである場合、ＥＤＩＤ取得部１０３ｃはＤＤＣライン２０３を介して外部装置３００に外部装置３００のＥＤＩＤを取得するための要求を送信せず、外部装置３００のＥＤＩＤを取得しない。
【００４１】
データ送信部１０３ｄは、撮像部１０４により生成された画像データや記録部１０５により記録媒体１０５ａから再生された画像データをＴＭＤＳライン２０４を介して外部装置３００に送信する。また、データ送信部１０３ｄは、不図示のマイクロフォン部により生成された音声データや記録部１０５により記録媒体１０５ａから再生された音声データもＴＭＤＳライン２０４を介して外部装置３００に送信する。また、データ送信部１０３ｄは、画像データを外部装置３００に表示させるための補助データや音声データを外部装置３００のスピーカから出力させるための補助データ等も外部装置３００にＴＭＤＳライン２０４を介して送信する。
【００４２】
データ送信部１０３ｄによって外部装置３００に送信される画像データ及び音声データは、外部装置３００から取得した外部装置３００のＥＤＩＤに応じて生成されたデータである。
【００４３】
コマンド処理部１０３ｅは、外部装置３００からＣＥＣライン２０５を介してＣＥＣコマンドを受信し、受信したＣＥＣコマンドを解析する。コマンド処理部１０３ｅは、コマンドの解析結果を制御部１０１に供給する。この場合、制御部１０１は、コマンド処理部１０３ｅから供給されたコマンドの解析結果に応じて、通信装置１００を制御する。
【００４４】
また、コマンド処理部１０３ｅは、外部装置３００を制御するためのＣＥＣコマンドをＣＥＣライン２０５を介して外部装置３００に送信する。なお、外部装置３００を制御するためのＣＥＣコマンドは、制御部１０１によって生成される。コマンド処理部１０３ｅは、外部装置３００を制御するためのＣＥＣコマンドをＣＥＣライン２０５を介して外部装置３００に送信した場合に、外部装置３００から供給される通信装置１００への応答を受信する。なお、外部装置３００から通信装置１００への応答として、肯定の応答を示すＡｃｋ応答と、否定の応答を示すＮａｃｋ応答とがある。
【００４５】
撮像部１０４は、通信装置１００の動作モードが撮像モードである場合は、被写体を撮像し、当該被写体の光学像から画像データを生成する。また、撮像部１０４は、被写体を撮像するためのＣＣＤセンサやＣＭＯＳセンサ等の撮像素子を有する。撮像部１０４で生成される画像データは、動画像データ、静止画データのいずれでもよい。撮像部１０４で生成された画像データは、撮像部１０４からデータ送信部１０３ｄ、記録部１０５及び表示部１０６に供給される。
【００４６】
撮像部１０４が動画像データを生成する場合、不図示のマイクロフォン部は音声データを生成する。マイクロフォン部で生成された音声データは、マイクロフォン部からデータ送信部１０３ｄ、記録部１０５及び不図示のスピーカ部に供給される。撮像部１０４は、通信装置１００の動作モードが再生モードである場合は、被写体の撮像を停止し、当該被写体の光学像からの画像データの生成を停止する。
【００４７】
記録部１０５は、通信装置１００の動作モードが撮像モードである場合は、撮像部１０４で生成された画像データと、マイクロフォン部で生成された音声データとを記録媒体１０５ａに記録する。撮像部１０４及びマイクロフォン部で生成された画像データ及び音声データの記録媒体１０５ａへの記録は、操作部１０７を介して入力されたユーザの指示に従って、制御部１０１が制御する。制御部１０１は、撮像部１０４及びマイクロフォン部で生成された画像データ及び音声データの記録媒体１０５ａへの記録を、外部装置３００から受信したＣＥＣコマンドに従って制御することもできる。
【００４８】
また、記録部１０５は、通信装置１００の動作モードが再生モードである場合、記録媒体１０５ａに記録されている画像データや音声データを読み出し、データ送信部１０３ｄ及び表示部１０６に供給する。また、撮像部１０４によって記録部１０５ａに蓄積された動画像データを復号処理し、動画像として再生する動画像再生手段を有し、復号処理する際に、任意の解像度の動画像を生成することができる動画像切り替え手段を有する。
【００４９】
なお、記録媒体１０５ａは、通信装置１００に内蔵されたものであっても、通信装置１００から取り外し可能なものであってもよい。また、記録媒体１０５ａに記録されるデータは、静止画データや動画像データ等であってもよく、画像データと音声データとが別々に記録されるものであってもよい。
【００５０】
表示部１０６は、液晶ディスプレイなどの表示器により構成される。通信装置１００の動作モードが撮像モードである場合、表示部１０６は、撮像部１０４から供給される画像データを表示する。通信装置１００の動作モードが再生モードである場合、表示部１０６は、記録部１０５が記録媒体１０５ａから再生した画像データを表示する。
【００５１】
操作部１０７は、通信装置１００を操作するためのユーザインターフェースを提供する。操作部１０７は、通信装置１００を操作するための複数のボタンを有する。操作部１０７に含まれる各ボタンは、スイッチ、タッチパネル等により構成される。
【００５２】
電源供給部１０８は、ＡＣ電源またはバッテリから供給される電源を通信装置１００の各部に供給する。ＡＣ電源とは、例えば、交流電源を直流電源に変換するＡＣアダプタ等の電源装置である。バッテリは、例えば、リチウムイオンバッテリである。
【００５３】
通信装置１００の電源がオン状態である場合は、電源供給部１０８から通信装置１００全体に必要な電力が供給される。通信装置１００の電源がスタンバイ状態である場合、通信装置１００の一部に対して電源供給部１０８からの電源供給が行われない。通信装置１００の電源がスタンバイ状態である場合、制御部１０１は、少なくとも電源供給部１０８から制御部１０１、操作部１０７、コマンド処理部１０３ｅに電力が供給されるようにする。通信装置１００の電源がスタンバイ状態である場合は、電源供給部１０８からＲＯＭ１０９にも電力が供給されていてもよい。なお、通信装置１００の電源がスタンバイ状態である場合、電源供給部１０８は、通信装置１００の一部への電源供給を停止する。なお、通信装置１００における「スタンバイ状態」を「スリープ状態」、「パワーセーブ状態」、「低消費電力状態」、「節電状態」及び「電源オフ状態」のいずれか一つに言い換えてもよい。
【００５４】
ＲＯＭ（Ｒｅａｄ  Ｏｎｌｙ  Ｍｅｍｏｒｙ）１０９は、制御部１０１によって実行される通信装置１００を制御するためのプログラムが記録されている。また、ＲＯＭ１０９には、通信装置１００で行われる処理や動作に対する閾値や通信装置１００で行われる処理や動作に関するパラメータ等が記録されている。なお、ＲＯＭ１０９は、ハードディスク装置等の記憶装置であってもよい。
【００５５】
次に、図２を参照して、外部装置３００の構成の一例を説明する。
【００５６】
外部装置３００は、図２に示すように、制御部３０１、チューナ部３０２、通信部３０３、表示部３０４、操作部３０５、メモリ３０６、電源供給部３０７及びＲＯＭ３０８を有する。
【００５７】
制御部３０１は、ＲＯＭ３０９に格納されているプログラムに従って外部装置３００を制御する。また、制御部３０１は電源供給部３０７から各部に電力を供給するように制御したり、電源の供給を停止するように制御する。制御部３０１は、ＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）を含む。
【００５８】
チューナ部３０２は、ユーザによって選択されたテレビジョンチャンネルのテレビジョン放送を受信する。テレビジョンチャンネルの選択は、操作部３０５または不図示のリモートコントローラ（以下、「リモコン」と呼ぶ）を用いて行う。
【００５９】
メモリ３０６は、外部装置３００のバッファとして機能するメモリであり、通信部３０３によって取得された画像データ、音声データ及び補助データ等を一時的に記録することもできる。なお、メモリ３０６は、ＲＡＭに限られるものではなく、ハードディスク装置等の外部記憶装置であってもよい。
【００６０】
通信部３０３は、不図示の複数のコネクタ、電源検出部３０３ａ、ＨＰＤ出力部３０３ｂ、ＥＤＩＤ出力部３０３ｃ、データ受信部３０３ｄ及びコマンド処理部３０３ｅを有する。不図示の複数のコネクタは、ケーブル２００のようなケーブルを複数接続するために用いられる。
【００６１】
電源検出部３０３ａは、所定の電力を電源伝送ライン２０１を介して通信装置１００から供給される。また、電源検出部３０３ａは、電源伝送ライン２０１を介して通信装置１００から所定の電力が供給されているか否かを検出する。
【００６２】
ＨＰＤ出力部３０３ｂは、ＨＰＤ信号をＨＰＤライン２０２を介して通信装置１００に送信する。電源検出部３０３ａによって電源伝送ライン２０１を介して通信装置１００から所定の電力が供給されていると検出された場合、ＨＰＤ出力部３０３ｂは、ＨレベルのＨＰＤ信号またはＬレベルのＨＰＤ信号を通信装置１００にＨＰＤライン２０２を介して送信する。
【００６３】
電源検出部３０３ａによって電源伝送ライン２０１を介して所定の電力が供給されていると検出された場合、ＨＰＤ出力部３０３ｂは、メモリ３０６に格納されているＥＤＩＤを通信装置１００にＤＤＣライン２０３を介して送信できるか否かを判定する。メモリ３０６には、ケーブル２００を接続するための各コネクタに対応する外部装置３００のＥＤＩＤが別々に格納されている。通信装置１００が接続されているコネクタに対応するＥＤＩＤに含まれる情報が変更されていない場合、ＨＰＤ出力部３０３ｂは、通信装置１００が接続されているコネクタに対応する外部装置３００のＥＤＩＤを通信装置１００に送信できると判定する。この場合、通信装置１００からのＥＤＩＤの要求により通信装置１００に外部装置３００のＥＤＩＤを送信できることを通信装置１００に通知するため、ＨＰＤ出力部３０３ｂは、ＨレベルのＨＰＤ信号をＨＰＤライン２０２を介して通信装置１００に送信する。なお、ＥＤＩＤの要求とは、外部装置３００のＥＤＩＤを取得するための要求である。
【００６４】
通信装置１００が接続されているコネクタに対応するＥＤＩＤに含まれる情報が変更された場合、ＨＰＤ出力部３０３ｂは、通信装置１００が接続されているコネクタに対応する外部装置３００のＥＤＩＤを通信装置１００に送信できないと判定する。この場合、通信装置１００からのＥＤＩＤの要求により通信装置１００に外部装置３００のＥＤＩＤを送信できないことを通信装置１００に通知するため、ＨＰＤ出力部３０３ｂは、ＬレベルのＨＰＤ信号をＨＰＤライン２０２を介して通信装置１００に送信する。
【００６５】
また、電源検出部３０３ａによって電源伝送ライン２０１を介して通信装置１００から所定の電力が供給されていないと検出された場合、ＨＰＤ出力部３０３ｂは、ＬレベルのＨＰＤ信号をＨＰＤライン２０２を介して通信装置１００に送信する。
【００６６】
ＥＤＩＤ出力部３０３ｃは、ＨＰＤ出力部３０３ｂによってＨＰＤライン２０２を介して通信装置１００に送信されるＨＰＤ信号がＨレベルである場合、ＤＤＣライン２０３を介して通信装置１００からＥＤＩＤを取得するための要求を受信したか否かを判定する。ＨＰＤ出力部３０３ｂから通信装置１００に送信されるＨＰＤ信号がＨレベルで、通信装置１００からＥＤＩＤを取得するための要求を受信した場合、ＥＤＩＤ出力部３０３ｃは、外部装置３００のＥＤＩＤをＤＤＣライン２０３を介して通信装置１００に送信する。
【００６７】
通信装置１００が接続されているコネクタが選択されている場合、通信装置１００は、ＴＭＤＳライン２０４を介して外部装置３００の終端抵抗に接続され、データ受信部３０３ｄは、通信装置１００から送信される画像データ、音声データ及び補助データを、ＴＭＤＳライン２０４を介して受信する。この場合、通信装置１００からデータ受信部３０３ｄがＴＭＤＳライン２０４を介して受信した画像データは、メモリ３０６に記録され、表示部３０４に表示される。さらに、この場合、データ受信部３０３ｄがＴＭＤＳライン２０４を介して通信装置１００から受信した音声データは、メモリ３０６に記録され、不図示の内部スピーカ部から出力される。さらに、この場合、データ受信部３０３ｄがＴＭＤＳライン２０４を介して通信装置１００から受信した補助データは、制御部３０１に供給される。制御部３０１は、通信装置１００から受信した補助データを解析し、その解析結果に従って外部装置３００を制御する。
【００６８】
通信装置１００が接続されているコネクタが選択されていない場合、通信装置１００は、ＴＭＤＳライン２０４を介して外部装置３００の終端抵抗に接続されないので、データ受信部３０３は、通信装置１００から送信される画像データ、音声データ及び補助データを、ＴＭＤＳライン２０４を介して受信しない。
【００６９】
コマンド処理部３０３ｅは、通信装置１００から送信されたＣＥＣコマンドをＣＥＣライン２０５を介して受信する。コマンド処理部３０３ｅは、通信装置１００から受信したＣＥＣコマンドを、制御部３０１に供給し、制御部３０１は、通信装置１００からコマンド処理部３０３ｅが受信したＣＥＣコマンドに従って外部装置３００を制御する。
【００７０】
また、コマンド処理部３０３ｅは、通信装置１００から受信したＣＥＣコマンドに応じて、Ａｃｋ応答または、Ｎａｃｋ応答をＣＥＣライン２０５を介して通信装置１００に供給する。また、コマンド処理部３０３ｅは、通信装置１００を制御するためのＣＥＣコマンドを、ＣＥＣライン２０５を介して通信装置１００に送信する。なお、通信装置１００を制御するためのＣＥＣコマンドは、制御部３０１で生成され、制御部３０１からコマンド処理部３０３ｅに供給される。
【００７１】
なお、通信部３０３が有するコネクタの数は外部装置３００によって任意であり、２つ以上であってもよい。また、外部装置３００は、コネクタの数だけ通信装置１００以外のソース装置を接続することができる。
【００７２】
表示部３０４は、液晶ディスプレイ等の表示器により構成される。表示部３０４は、チューナ部３０２及びデータ受信部３０３ｄの少なくとも一つから供給された画像データを表示する。データ受信部３０３ｄによって通信装置１００から受信された画像データが供給された場合、表示部３０４は、通信装置１００から受信した画像データを表示する。
【００７３】
表示判定部３０９は、チューナ部３０２及びデータ受信部３０３ｄによって通信装置１００から受信された画像データが、表示部３０４に表示されているか否かを判定する。
【００７４】
操作部３０５は、外部装置３００を操作するためのユーザインターフェースを提供する。操作部３０５は、外部装置３００を操作するための複数のボタンを有し、制御部３０１は、操作部３０５を介して入力されたユーザの指示に従って外部装置３００を制御する。操作部３０５に含まれる各ボタンは、スイッチ、タッチパネル等により構成される。操作部３０５は外部装置３００を操作するための電源ボタン、チャンネル選択ボタン、外部入力ボタンなどを有する。
【００７５】
電源供給部３０７は、ＡＣ電源等から外部装置３００の各部に必要な電力を供給する。外部装置３００の電源がオン状態である場合、電源供給部３０７から外部装置３００全体に電力が供給される。外部装置３００の電源がスタンバイ状態である場合、電源供給部３０７は、外部装置３００の一部に電力を供給しない。そのため、外部装置３００の電源がスタンバイ状態である場合、外部装置３００の動作は制限される。例えば、外部装置３００の電源がスタンバイ状態である場合、表示部３０４は、画像データを表示せず、不図示のスピーカ部は、音声データを出力しない。また、例えば、外部装置３００の電源がスタンバイ状態である場合、通信部３０３は、通信装置１００との通信を停止し、通信装置１００から画像データ及び音声データの受信を行わない。なお、外部装置３００における「スタンバイ状態」を「スリープ状態」及び「パワーセーブ状態」のいずれか一つに言い換えてもよい。
【００７６】
表示判定部３０９は、データ受信部３０３ｄによって外部装置１００から受信された、制御部３０１によって制御された画像データが、表示部３０４に表示されているか否かを判定する。
【００７７】
ＲＯＭ３０８は、制御部３０１によって実行される外部装置３００を制御するためのプログラムが記録されている。また、ＲＯＭ３０８には、外部装置３００で行われる処理や動作に対する閾値や外部装置３００で行われる処理や動作に関するパラメータ等が記録されている。なお、ＲＯＭ３０８は、ハードディスク装置等の記憶装置であってもよい。
【００７８】
次に、図３のフローチャートを参照し、通信装置１００によって行われる論理アドレス取得処理について説明する。なお、論理アドレス取得処理は、制御部１０１がＲＯＭ１０８に記録されているプログラムを実行することによって、通信装置１００によって行われる処理である。なお、図３の論理アドレス取得処理が行われる前、通信装置１００のメモリ１０２には、論理アドレス「１５」が設定されているものとする。
【００７９】
Ｓ３０１において、制御部１０１は、＜Ｐｏｌｌｉｎｇ  Ｍｅｓｓａｇｅ＞コマンドをＣＥＣライン２０５を介して外部装置３００に送信するようにコマンド処理部１０３ｅを制御する。＜Ｐｏｌｌｉｎｇ  Ｍｅｓｓａｇｅ＞コマンドは、通知装置１００のデバイスタイプに対応する論理アドレスが他の装置に取得されているか否かを検出するために用いられるコマンドである。＜Ｐｏｌｌｉｎｇ  Ｍｅｓｓａｇｅ＞コマンドが外部装置３００に送信された場合、本フローチャートは、Ｓ３０１からＳ３０２に進む。
【００８０】
Ｓ３０２において、制御部１０１は、コマンド処理部１０３ｅが＜Ｐｏｌｌｉｎｇ  Ｍｅｓｓａｇｅ＞コマンドに対する応答を検出したか否かを判定する。制御部１０１によって、コマンド処理部１０３ｅが肯定応答を検出したと判定された場合、本フローチャートは、Ｓ３０２からＳ３０３に進む。
【００８１】
制御部１０１によって、コマンド処理部１０３ｅが応答を検出していないと判定された場合、本フローチャートは終了する。なお、制御部１０１によって、コマンド処理部１０３ｅが否定応答を検出したと判定された場合も、本フローチャートは、Ｓ３０２からＳ３０３に進む。
【００８２】
Ｓ３０３において、制御部１０１は、通信装置１００のデバイスタイプに対応する論理アドレスを取得したか否かを判定する。制御部１０１によって、通信装置１００のデバイスタイプに対応する論理アドレスを取得したと判定された場合、本フローチャートはＳ３０３からＳ３０４へ進む。制御部１０１によって、通知装置１００のデバイスタイプに対応する論理アドレスを取得していないと判定された場合、本フローチャートは、Ｓ３０３からＳ３０５に進む。
【００８３】
Ｓ３０４において、制御部１０１は、メモリ１０２に取得した論理アドレスを設定する。メモリ１０２に論理アドレス「１５」が設定されている場合、制御部１０１は、取得した論理アドレスをメモリ１０２に設定し、論理アドレス「１５」の設定を破棄する。
【００８４】
Ｓ３０５において、制御部１０１は、通信装置１００を所定の通信モードに設定する。所定の通信モードとは、通信装置１００のデバイスタイプに対応していない論理アドレスである論理アドレス「１５」を用いて、ＣＥＣプロトコルに対応する通信を行うモードである。通信装置１００が所定の通信モードである場合、制御部１０１は、メモリ１０２に論理アドレス「１５」を設定する。通信装置１００が所定の通信モードである場合、通信装置１００は、ＣＥＣプロトコルに記載されているブロードキャストコマンド及び＜Ｖｅｎｄｏｒ  Ｃｏｍｍａｎｄ  Ｗｉｔｈ  ＩＤ＞コマンドを送信できる。さらに、通信装置１００が所定の通信モードである場合、通信装置１００は、ＣＥＣプロトコルに記載されているブロードキャストコマンド及び、＜Ｖｅｎｄｏｒ  Ｃｏｍｍａｎｄ＞コマンドを送信でき、＜Ｖｅｎｄｏｒ  Ｃｏｍｍａｎｄ＞コマンドを受信できる。通信装置１００が所定の通信モードに設定された場合、本フローチャートは終了する。
【００８５】
Ｓ３０５の処理において、既にメモリ１０２に論理アドレス「１５」が設定されている場合、Ｓ３０５の処理を省略してもよいものとする。また、図３の論理アドレス取得処理が行われる前、通信装置１００のメモリ１０２には、論理アドレス「１５」が設定されているものとしたが、メモリ１０２に最後に取得された論理アドレスが設定されていてもよいものとする。
【００８６】
なお、図３の論理アドレス取得処理は、定期的に通信装置１００によって行われるものであってもよく、通信装置１００と外部装置３００とがＨＤＭＩケーブル２００を介して接続された場合に行われてもよものとする。また、図３の論理アドレス取得処理は、通信装置１００がＨＤＭＩケーブル２００を用いた通信を外部装置３００と行うモードになった場合に、行われてもよい。
【００８７】
次に、図４のフローチャートを参照し、通信装置１００によって行われる物理アドレス取得処理について説明する。なお、図４の物理アドレス取得処理は、制御部１０１がＲＯＭ１０９に記録されているプログラムを実行することによって、通信装置１００によって行われる処理である。
【００８８】
Ｓ４０１において、制御部１０１は、所定の電力をＨＤＭＩケーブル２００に含まれる不図示のパラーワインを介して外部装置３００に出力するように通信部１０３を制御する。この場合、本フローチャートはＳ４０１からＳ４０２に進む。
【００８９】
Ｓ４０２において、制御部１０１は、ＨＰＤ検出部１０３ｂが検出したＨＰＤ信号がＨレベルであるか否かを判定する。制御部１０１によってＨＰＤ検出部１０３ｂが検出したＨＰＤ信号がＨレベルであると判定された場合、本フローチャートは、Ｓ４０２からＳ４０３に進む。制御部１０１によってＨＰＤ検出部１０３ｂが検出したＨＰＤ信号がＬレベルであると判定された場合、本フローチャートは、終了する。
【００９０】
Ｓ４０３において、制御部１０１は、外部装置３００からＥＤＩＤを取得するための要求をＤＤＣライン２０３を介して送信するようにＥＤＩＤ取得部１０３ｃを制御する。この場合、本フローチャートは、Ｓ４０３からＳ４０４に進む。
【００９１】
Ｓ４０４において、制御部１０１は、ＥＤＩＤ取得部１０３ｃが外部装置３００からＥＤＩＤを取得したか否かを判定する。制御部１０１によって、ＥＤＩＤ取得部１０３ｃが外部装置３００からＥＤＩＤを取得したと判定された場合、本フローチャートは、Ｓ４０４からＳ４０５に進む。制御部１０１によって、ＥＤＩＤ取得部１０３ｃが外部装置３００からＥＤＩＤを取得していないと判定された場合、本フローチャートは、終了する。
【００９２】
Ｓ４０５において、制御部１０１は、Ｓ４０４で外部装置３００から取得したＥＤＩＤを解析し、ＥＤＩＤに含まれる物理アドレスを取得する。物理アドレスが取得された場合、制御部１０１は、メモリ１０２に取得した物理アドレスを記録する。この場合、本フローチャートは、終了する。
【００９３】
なお、図４の物理アドレス取得処理は、定期的に通信装置１００によって行われるものであってもよく、通信装置１００と外部装置３００とがＨＤＭＩケーブル２００を介して接続された場合に行われてもよいものとする。また、図４の物理アドレス取得処理は、通信装置１００がＨＤＭＩケーブル２００を用いた通信を外部装置３００と行うモードになった場合に、行われてもよい。
【００９４】
次に、図５のフローチャートを参照し、記録媒体１０５ａから再生された動画像データを外部装置３００に表示させる処理である動画像再生処理について説明する。なお、図５の動画像再生処理は、制御部１０１がＲＯＭ１０９に記録されているプログラムを実行することによって、通信装置１００によって行われる処理である。
【００９５】
制御部１０１は、記録媒体１０５ａから再生された動画像データを外部装置３００に送信して表示させるための所定の指示を受けると、本フローチャートを開始する。例えば、通信装置１００と外部装置３００とがＨＤＭＩケーブル２００を介して接続され、操作部１０７の再生ボタンが操作された場合に、操作部１０７を介して動画像再生の指示が制御部１０１に入力される。
【００９６】
Ｓ５０１において、制御部１０１は、図４のフローチャートに従って処理を行った後、メモリ１０２に物理アドレスが記録されているか否かを判定する。制御部１０１によって、メモリ１０２に物理アドレスが記録されていると判定された場合、本フローチャートは、Ｓ５０１からＳ５０２に進む。制御部１０１によって、メモリ１０２に物理アドレスが記録されていないと判定された場合、本フローチャートは、終了する。
【００９７】
Ｓ５０２において、制御部１０１は、図３のフローチャートに従って処理を行った後、メモリ１０２に通信装置１００のデバイスタイプに対応する論理アドレスが設定されているか否かを判定する。制御部１０１によって、メモリ１０２に通信装置１００のデバイスタイプに対応する論理アドレスが設定されていると判定された場合、本フローチャートはＳ５０２からＳ５０４に進む。制御部１０１によって、メモリ１０２に通信装置１００のデバイスタイプに対応する論理アドレスが設定されていないと判定された場合、本フローチャートは、Ｓ５０２からＳ５０３に進む。
【００９８】
Ｓ５０３において、制御部１０１は、Ｓ３０５と同様に通信装置１００を所定の通信モードに設定する。所定の通信モードの設定が行われた場合、本フローチャートは、Ｓ５０３からＳ５０４に進む。
【００９９】
Ｓ５０４において、データ送信部１０３ｄは、所定の画像データを、外部装置３００に送信する。所定の画像データとは、再生する動画像ごとに、あらかじめ決められた画像データのことであり、例えば、メモリ１０２より読み出される動画像の先頭フレーム画像などである。なお、所定の画像データとして、画像全体を黒で塗りつぶした画像データを用いてもよい。また、Ｓ５０４において、データ送信部１０３ｄは、所定の画像データに加えて、音声データ、補助データを外部装置３００に送信する。所定の画像データの送信が行われると、本フローチャートは、Ｓ５０４からＳ５０５に進む。
【０１００】
Ｓ５０５において、制御部１０１は、＜Ｖｅｎｄｏｒ  Ｃｏｍｍａｎｄ＞コマンドをＣＥＣライン２０５を通して外部装置３００に送信するようにコマンド処理部１０３ｅを制御する。＜Ｖｅｎｄｏｒ  Ｃｏｍｍａｎｄ＞コマンドとは、ＣＥＣネットワークに接続された特定の製造者名を有する機器間でメッセージを送受信するためのコマンドであり、製造者ごとに固有のメッセージをやりとりできる。実施形態１においては、ソース機器が送信した画像データが、シンク機器の表示部に表示されているか否かを問い合わせる＜Ｖｅｎｄｏｒ  Ｃｏｍｍａｎｄ  Ｇｉｖｅ  Ｄｉｓｐｌａｙ  Ｓｔａｔｕｓ＞コマンドを送信する。また、シンク機器は＜Ｖｅｎｄｏｒ  Ｃｏｍｍａｎｄ  Ｇｉｖｅ  Ｄｉｓｐｌａｙ  Ｓｔａｔｕｓ＞コマンドを受信すると、表示判定部３０８による判定結果に基づいて、受信した画像データを表示部に表示しているか否かを、＜Ｖｅｎｄｏｒ  Ｃｏｍｍａｎｄ  Ｒｅｐｏｒｔ  Ｄｉｓｐｌａｙ  Ｓｔａｔｕｓ＞コマンドを用いてソース機器に返答する。
【０１０１】
＜Ｖｅｎｄｏｒ  Ｃｏｍｍａｎｄ  Ｇｉｖｅ  Ｄｉｓｐｌａｙ  Ｓｔａｔｕｓ＞コマンドを送信すると、本フローチャートは、Ｓ５０５からＳ５０６に進む。
【０１０２】
Ｓ５０６において、制御部１０１は、外部装置３００からの受信した＜Ｖｅｎｄｏｒ  Ｃｏｍｍａｎｄ  Ｒｅｐｏｒｔ  Ｄｉｓｐｌａｙ  Ｓｔａｔｕｓ＞コマンドを解析することで、通信装置１００が送信した所定の画像データが、外部装置３００に表示されているか否かを判定する。また、外部装置３００からの返答がない場合、制御部１０１は、通信装置１００が送信した所定の画像データが、外部装置３００に表示されたと判定する。制御部１０１によって、通信装置１００が送信した所定の画像データが外部装置３００に表示されたと判定された場合、本フローチャートは、Ｓ５０６からＳ５０７に進む。制御部１０１によって、通信装置１００が送信した所定の画像データが外部装置３００に表示されていないと判定された場合、本フローチャートは、Ｓ５０５に進む。
【０１０３】
Ｓ５０７において、制御部１０１は、動画像の再生を開始する。動画像の再生を開始すると、本フローチャートは、終了する。なお、本フローチャートで説明される動画像再生処理は、制御部１０１が、再生する動画像の解像度を切り替える際に実施してもよい。
【０１０４】
［実施形態２］
実施形態１で説明した様々な機能、処理または方法は、パーソナルコンピュータ、マイクロコンピュータ、ＣＰＵ（Ｃｅｎｔｒａｌ  Ｐｒｏｃｅｓｓｉｎｇ  Ｕｎｉｔ）、マイクロプロセッサなどがプログラムを用いて実現することもできる。
【０１０５】
以下、実施形態２では、パーソナルコンピュータ、マイクロコンピュータ、ＣＰＵ（Ｃｅｎｔｒａｌ  Ｐｒｏｃｅｓｓｉｎｇ  Ｕｎｉｔ）、マイクロプロセッサなどを「コンピュータＸ」と呼ぶ。また、実施形態２では、コンピュータＸを制御するためのプログラムであって、実施形態１で説明した様々な機能、処理または方法を実現するためのプログラムを「プログラムＹ」と呼ぶ。
【０１０６】
実施形態１で説明した様々な機能、処理または方法は、コンピュータＸがプログラムＹを実行することによって実現される。この場合において、プログラムＹは、コンピュータ読み取り可能な記憶媒体を介してコンピュータＸに供給される。実施形態２におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも一つを含む。実施形態２におけるコンピュータ読み取り可能な記憶媒体は、ｎｏｎ−ｔｒａｎｓｉｔｏｒｙな記憶媒体である。
【符号の説明】
【０１０７】
１００  通信装置、１０１  制御部、１０２  メモリ、１０３  通信部、
１０３ａ  電源出力部、１０３ｂ  ＨＰＤ検出部、１０３ｃ  ＥＤＩＤ取得部、
１０３ｄ  データ送信部、１０３ｅ  コマンド処理部、１０４  撮像部、
１０５    記録部、１０５ａ  記録媒体、１０６  表示部、１０７  操作部、
１０８  電源供給部、１０９  ＲＯＭ、２００  ケーブル、
２０１  電源伝送ライン、２０２  ＨＰＤライン、２０３  ＤＤＣライン、
２０４  ＴＭＤＳライン、２０５  ＣＥＣライン、３００  外部装置、
３０１  制御部、３０２  チューナ部、３０３  通信部、３０３ａ  電源検出部、
３０３ｂ  ＨＰＤ出力部、３０３ｃ  ＥＤＩＤ出力部、３０３ｄ  データ受信部、
３０３ｅ  コマンド処理部、３０４  表示部、３０５  操作部、３０６  メモリ、
３０７  電源供給部、３０８  表示判定部、３０９  ＲＯＭ
【図１】
2018191021.tif 000003
【図２】
2018191021.tif 000004
【図３】
2018191021.tif 000005
【図４】
2018191021.tif 000006
【図５】
2018191021.tif 000007